(57)【要約】【課題】さらなる鋭意研究により、催し会場などにおける室内の隅や柱などにおいて簡単便利に反復使用可能であって、レールとパネルとを現場で間単に組立及び分解も行える隅角部用組立式壁パネルを提供する。【解決手段】互いに向きの異なる第１レール部及び第２レール部それぞれの端部どうしが連結されてなる屈曲レール部ｒｋを有して床に載置されるレール３と、第１レール部に着脱可能に載せ付けられる第１パネル部ｐ１及び第２レール部に着脱可能に載せ付けられる第２パネル部ｐ２を有するパネル４と、第１及び第２パネル部ｐ１，ｐ２の上端部どうしを相対連結する連結手段と、を有してなる隅角部用組立式壁パネル。パネル４の上端部には、連結手段を隠す頂部カバー５が被せられている。【選択図】図２
2019049162.tif 000002
【特許請求の範囲】
【請求項１】
互いに向きの異なる第１レール部及び第２レール部それぞれの端部どうしが連結されてなる屈曲レール部を有して床に載置されるレールと、
前記第１レール部に着脱可能に載せ付けられる第１パネル部及び前記第２レール部に着脱可能に載せ付けられる第２パネル部を有するパネルと、
前記第１及び第２パネル部の上部どうしを相対連結する連結手段と、
を有してなる隅角部用組立式壁パネル。
【請求項２】
前記屈曲レール部は、前記第１レール部の前記第２レール部接続側と反対側の端部に、前記第２レール部と同じ方向に延びる第３レール部が連結されて上下方向視でコ字状をなすものに形成されている請求項１に記載の隅角部用組立式壁パネル。
【請求項３】
前記第２レール部の先端に第２連結部が、かつ、前記第３レール部の先端部に第３連結部がそれぞれ形成され、
前記屈曲レール部の一対は、一方の前記屈曲レール部の前記第２連結部と、他方の前記屈曲レール部の前記第３連結部とが相対連結可能となる状態に構成されている請求項２に記載の隅角部用組立式壁パネル。
【請求項４】
一方の前記第２連結部と他方の前記第３連結部、及び一方の前記第３連結部と他方の前記第２連結部がそれぞれ相対連結されて、一対の前記屈曲レール部により上下方向視で矩形環状をなす前記レールが構成され、
一方の前記屈曲レール部に載せ付けられる前記第２パネル部は、他方の前記屈曲レール部に載せ付けられる前記第３レール部にも載せ付けられ、かつ、他方の前記屈曲レール部に載せ付けられる前記第２パネル部は、一方の前記屈曲レール部に載せ付けられる前記第３レール部にも載せ付けられ、
一方の前記屈曲レール部に載せ付けられる前記第２パネル部の上端部と、他方の前記屈曲レール部に載せ付けられる前記第１パネル部の上端部とを相対連結する連結手段、及び一方の前記屈曲レール部に載せ付けられる前記第１パネル部の上端部と、他方の前記屈曲レール部に載せ付けられる前記第２パネル部の上端部とを相対連結する連結手段が設けられている請求項３に記載の隅角部用組立式壁パネル。
【請求項５】
前記パネルの上端部に着脱可能に被せられて前記連結手段を隠す頂部カバーが設けられている請求項１〜４の何れか一項に記載の隅角部用組立式壁パネル。
【請求項６】
前記頂部カバーは、上下方向視での形状が前記屈曲レール部の形状と同形に設定されている請求項５に記載の隅角部用組立式壁パネル。
【請求項７】
前記頂部カバーは、前記パネルの頂面に載せ付けられる横カバー部と、前記横カバー部に続いて前記パネルの表壁に回り込む表カバー部と、前記横カバー部に続いて前記パネルの裏壁に回り込む裏カバー部とを有している請求項５又は６に記載の隅角部用組立式壁パネル。
【請求項８】
前記第１パネル部及び／又は前記第２パネル部の表壁が金属板により形成されている請求項１〜７の何れか一項に記載の隅角部用組立式壁パネル。
【請求項９】
前記レールと前記パネルとの何れか一方に形成されている凸部と何れか他方に形成されている凹部とが嵌合する状態で、前記レールに前記パネルが載せ付けられている請求項１〜８の何れか一項に記載の隅角部用組立式壁パネル。
【発明の詳細な説明】
【技術分野】
【０００１】
本発明は、催し会場やデパート、或いはビルのなどのフロアにおける角や隅、柱などに設置されて、間仕切りや展示手段などに使用される隅角部用組立式壁パネルに関する。
【背景技術】
【０００２】
デパートやビルのワンフロアを借りて一時期のみに展覧会、即売会、発表会、ビジネスショーといった会場として用いる場合、会場用のフロアをディスプレイするために、展示用のパネル、間仕切り、棚、ショーケースなどを設置することが行われる。
【０００３】
例えば、壁パネルや間仕切りを設置する場合、従来では、現場の状況に合わせてパネル材を床と天井とに跨るように適宜に加工して設置する手段、即ち、現場施工が行われていた。この現場施工では、会場に好適な壁パネルや間仕切りを作製できる点は好ましいが、その場限りのものであって反復使用できない。つまり、現場毎に一からの作成が余儀なくされて生産性が芳しくないとともにコスト高になり易いという問題があった
【０００４】
そこで、特許文献１において開示されるように、Ｔ字状の特別レール台（１Ｔ）及び特別上端レール（３Ｔ）を用いて自立できるように構成された自立型の間仕切りが知られている。この構成では、レール台（１）とパネル本体（２）と上端レール（３）とを現場に持ち込み、現場にて間単に組立及び分解を行えるとともに反復使用できる利点があった。
【先行技術文献】
【特許文献】
【０００５】
【特許文献１】特開２０１１−１５７７７１号公報
【発明の概要】
【発明が解決しようとする課題】
【０００６】
自立型の間仕切りは、自立型であるが故に、会場の真ん中など、壁や柱から離れた箇所における壁パネルとして、便利に用いることができるものであった。
【０００７】
そこで、本発明の目的は、さらなる鋭意研究により、催し会場などにおける室内の隅や柱などにおいて簡単便利に反復使用可能であって、特許文献１の利点を踏襲できる隅角部用組立式壁パネルを提供する点にある。
【課題を解決するための手段】
【０００８】
本発明は、隅角部用組立式壁パネルにおいて、
互いに向きの異なる第１レール部ｒ１及び第２レール部ｒ２それぞれの端部どうしが連結されてなる屈曲レール部ｒｋを有して床に載置されるレール３と、
前記第１レール部ｒ１に着脱可能に載せ付けられる第１パネル部ｐ１及び前記第２レール部ｒ２に着脱可能に載せ付けられる第２パネル部ｐ２を有するパネル４と、
前記第１及び第２パネル部ｐ１，ｐ２の上部どうしを相対連結する連結手段Ｒと、を有してなることを特徴とする。
【０００９】
第２の本発明は、本発明の隅角部用組立式壁パネルにおいて、
前記屈曲レール部ｒｋは、前記第１レール部ｒ１の前記第２レール部接続側と反対側の端部に、前記第２レール部ｒ２と同じ方向に延びる第３レール部ｒ３が連結されて上下方向視でコ字状をなすものに形成されていることを特徴とする。
【００１０】
第３の本発明は、第２の本発明の隅角部用組立式壁パネルにおいて、
前記第２レール部ｒ２の先端に第２連結部８Ａが、かつ、前記第３レール部ｒ３の先端部に第３連結部６がそれぞれ形成され、
前記屈曲レール部ｒｋの一対は、一方の前記屈曲レール部ｒｋの前記第２連結部８Ａと、他方の前記屈曲レール部ｒｋの前記第３連結部６とが相対連結可能となる状態に構成されていることを特徴とする。
【００１１】
第４の本発明は、第３の本発明の隅角部用組立式壁パネルにおいて、
一方の前記第２連結部８Ａと他方の前記第３連結部６、及び一方の前記第３連結部６と他方の前記第２連結部８Ａがそれぞれ相対連結されて、一対の前記屈曲レール部ｒｋ，ｒｋにより上下方向視で矩形環状をなす前記レール３が構成され、
一方の前記屈曲レール部ｒｋに載せ付けられる前記第２パネル部ｐ２は、他方の前記屈曲レール部ｒｋに載せ付けられる前記第３レール部ｒ３にも載せ付けられ、かつ、他方の前記屈曲レール部ｒｋに載せ付けられる前記第２パネル部ｐ２は、一方の前記屈曲レール部ｒｋに載せ付けられる前記第３レール部ｒ３にも載せ付けられ、
一方の前記屈曲レール部ｒｋに載せ付けられる前記第２パネル部ｐ２の上端部と、他方の前記屈曲レール部ｒｋに載せ付けられる前記第１パネル部ｐ１の上端部とを相対連結する連結手段２３，２６、及び一方の前記屈曲レール部ｒｋに載せ付けられる前記第１パネル部ｐ１の上端部と、他方の前記屈曲レール部に載せ付けられる前記第２パネル部ｐ２の上端部とを相対連結する連結手段２３，２６が設けられていることを特徴とする。
【００１２】
第５の本発明は、本発明〜第４の本発明の何れかの隅角部用組立式壁パネルにおいて、
前記パネル４の上端部に着脱可能に被せられて前記連結手段Ｒを隠す頂部カバー５が設けられていることを特徴とする。
【００１３】
第６の本発明は、第５の本発明の隅角部用組立式壁パネルにおいて、
前記頂部カバー５は、上下方向視での形状が前記屈曲レール部ｒｋの形状と同形に設定されていることを特徴とする。
【００１４】
第７の本発明は、第５又は第６の本発明の隅角部用組立式壁パネルにおいて、
前記頂部カバー５は、前記パネル４の頂面に載せ付けられる横カバー部５Ｃと、前記横カバー部５Ｃに続いて前記パネル４の表壁１１に回り込む表カバー部５Ａと、前記横カバー部５Ｃに続いて前記パネル４の裏壁１２に回り込む裏カバー部５Ｂとを有していることを特徴とする。
【００１５】
第８の本発明は、本発明〜第７の本発明の何れかの隅角部用組立式壁パネルにおいて、
前記第１パネル部ｐ１及び／又は前記第２パネル部ｐ２の表壁１１が金属板により形成されていることを特徴とする。
【００１６】
第９の本発明は、本発明〜第８の本発明の何れかの隅角部用組立式壁パネルにおいて、
前記レール３と前記パネル４との何れか一方に形成されている凸部９と何れか他方に形成されている凹部１５とが嵌合する状態で、前記レール３に前記パネル４が載せ付けられていることを特徴とする。
【発明の効果】
【００１７】
本発明によれば、互いに向きの異なるレール部どうしの端部連結による屈曲レール部でレールが、かつ、そのレールに載せ付けられて互いの上部どうしが連結手段で連結される第１及び第２パネル部でパネルが形成されているから、例えば、上下方向視でＬ字形やＶ字形など、自立できる壁パネルに形成させることが可能になる。
故に、ビルの室における隅や角、或いは柱の前に置いて良好に使用することができるともに、レールとパネルとは別部品であるから、現場において隅角部用組立式壁パネルの組立てや分解を行うことが可能である。
【００１８】
その結果、さらなる鋭意研究により、催し会場などにおける室内の隅や柱などにおいて簡単便利に反復使用可能であって、レールとパネルとを現場で間単に組立及び分解も行える隅角部用組立式壁パネルを提供することができる。
【００１９】
第２の本発明のように、屈曲レール部を上下方向視でコ字形状とすることや、第３の本発明のように、そのコ字形の屈曲レール部どうしを連結すれば、独立した柱を囲む上下方向視で矩形環状の隅角部用組立式壁パネルとすることが可能である。
【００２０】
第４の本発明によれば、コ字形の屈曲レール部の２個で上下方向視で矩形環状のレールが形成され、この矩形環状のレールに、互いの上端部どうしが連結された４枚のパネル部によるパネルが載せ付けられて、柱を囲むに好適な隅角部用組立式壁パネルを提供することができる。
【００２１】
第５の本発明のように、パネル部の上部どうしを連結する連結手段を隠す頂部カバーを設けると、より良い外観の隅角部用組立式壁パネルにできる。この場合、第６の本発明にように、頂部カバーの上下方向視での形状を屈曲レール部と同じにすれば好都合であり、第７の本発明にように、表カバー部と横カバー部と裏カバー部とを有する頂部カバーとすれば、パネル部に上から被せるだけで装着並びに外れ止めができる利点がある。
【００２２】
第８の本発明のように、金属板製の表壁とすれば、ぶら下げフック、マグネットキャッチ、或いは飾り棚などの展示用設備を磁力によって表壁に設置することができて便利である。また、第９の本発明のように、レールにパネルが凹凸嵌合により載せ付ける構造とすれば、パネルをレールに載せるだけで、パネルのレールに対する位置決め及び外れ止め機能が生じて大変合理的である。
【図面の簡単な説明】
【００２３】
【図１】ビルの柱を囲んで設置された隅角部用組立式壁パネルの一例を示す斜視図
【図２】壁パネルの構造を示す縦断面図
【図３】レールを示す平面図
【図４】レールの繋ぎ部を示し、（ａ)は側面図、（ｂ）は断面図
【図５】パネル部どうしの接続構造を示す要部の横断面図
【図６】頂部カバーを示す平面図
【図７】レールの組立て方の要点を示す平面図
【図８】レールにパネルを載置しての組立て方を示す平面図
【図９】パネルに頂部カバーを載せての組立て方を示す側面図
【図１０】別構造のパネル部どうしの接続構造を示す要部の横断面図
【図１１】別構造の連結手段を示し、（ａ）は要部の平面図、（ｂ）は要部の断面図
【発明を実施するための形態】
【００２４】
以下に、本発明による隅角部用組立式壁パネルの実施の形態を、ビルの室内における柱を囲んで設置される柱用壁パネルについて、図面を参照しながら説明する。
【００２５】
図１に、隅角部用組立式壁パネルＡの一例として、独立した柱の四方を囲んで設置された上下方向視で矩形（正方形）を呈する柱用壁パネルＡが示されている。柱用壁パネルＡは、ビルの室１における天井１ａとフロア１ｂとに跨って形成されている矩形の柱２の周囲を取り囲む状態で設置されている。１ｃ，１ｄは室１の壁（側壁）である。
【００２６】
図１，２，３，６に示されるように、柱用壁パネルＡは、２個の屈曲レール部ｒｋを備えてなるレール３と、４枚のパネル部ｐ１，ｐ２を備えてなるパネル４と、２個の頂部カバー５，５とをとを有して、上下方向視で「口」形状を呈するものに構成されている。
【００２７】
レール３は、図３，４，７に示されるように、上下方向視でコ字状をなす屈曲レール部ｒｋの２個（一対）を有して構成されている。
屈曲レール部ｒｋは、互いに向きの異なる第１レール部ｒ１及び第２レール部ｒ２それぞれの端部どうしが連結されるとともに、第１レール部ｒ１の第２レール部ｒ２接続側と反対側の端部に、第２レール部ｒ２と同じ方向に延びる第３レール部ｒ３が連結されて上下方向視でコ字状をなすものに形成されている。
【００２８】
各レール部ｒ１〜ｒ３は、床に載置される帯状の底板７と、断面が上向き開放コ字形状に形成されて底板７に載せ付け固定される鋼板製のインナチャンネル材８と、断面が下向き開放コ字形状に形成されてインナチャンネル材８に跨って底板７に載せ付け固定される鋼板製のアウタチャンネル材（凸部の一例）９とにより構成されている。
第１レール部ｒ１と第２レール部ｒ２及び第１レール部ｒ１と第３レール部ｒ３とは、４５度カット面どうしの突合せ溶接により、９０度屈曲する状態で一体化されている。
【００２９】
第２レール部ｒ２の開放側端は、底板７及びアウタチャンネル材９に対してインナチャンネル材８が第１所定量(例：４０〜５０ｍｍ)突出されてインナ突出部（第２連結部の一例）８Ａが形成されている。インナ突出部８Ａの外側壁８ａには、長手方向に互い離れた２箇所の雌ねじ部８ｂ，８ｂが横向き形成されている。
第３レール部ｒ３の開放側端は、底板７及びアウタチャンネル材９に対してインナチャンネル材８が第１所定量より僅かに大となる第２所定量(例：４５〜５５ｍｍ)引込み形成（凹設）されたインナ欠損端部（第３連結部の一例）６に形成されている。インナ欠損端部６におけるアウタチャンネル材９の開放側端の外側壁９ａには、雌ねじ部８ｂ，８ｂに対応させた２箇所のテーパ孔９ｂ，９ｂが形成されている。
【００３０】
従って、図７に示されるように、２個の屈曲レール部ｒｋは、向かい合わせ状態で互いのインナ突出部８Ａとインナ欠損端部６とを挿し込み嵌合させることが可能に構成されている。そして、図４，７に示されるように、互いのインナ突出部８Ａとインナ欠損端部６とが挿し込み嵌合された状態で、テーパ孔９ｂに通した皿ビス１０を雌ねじ部８ｂに螺合させ、一対の屈曲レール部ｒｋ，ｒｋを計４箇所の皿ビス１０によって連結することにより、上下方向視で「口」形状の矩形を呈するレール３を形成することができる。
【００３１】
パネル４、即ち第１、第２パネル部ｐ１，ｐ２は、図１，４，５に示されるように、ハニカム体１３を表壁１１、裏壁１２、上壁１４、下壁（凹部の一例）１５、一端及び他端壁１６，１７で囲んでなるパネル体に構成されている。ハニカム体１３以外は金属板製である。下壁１５は、断面が下向き開放コ字形状で厚肉であり、アウタチャンネル材９を跨いで底板７の両端部に載せ付け可能な大きさに形成されている。本実施形態においては、第１パネル部ｐ１と第２パネル部ｐとは互いに同じもの（ｐ１＝ｐ２）である。
【００３２】
パネル４の上部内側には、表壁１１と上壁１４と裏壁１２とに跨る断面が下向き開放コ字形状の上補強材１８が設けられている。そして、表壁１１と一端壁１６と裏壁１２とに跨る断面が内向き開放コ字形状の一端側補強材１９と、表壁１１と他端壁１７と裏壁１２とに跨る断面が内向き開放コ字形状の他端側補強材２０とが設けられている。表壁１１の一端側は、パネル４の厚み分裏壁１２よりも張出し形成され、かつ、内側に折畳まれた二重板構造の突出壁部１１Ａに形成されている。一端壁１６は、突出壁部１１Ａの先端折曲げ部１１ａと裏壁１２の折曲げ部１２ａとの積層により形成されている。
【００３３】
図５に示されるように、突出壁部１１Ａの上端部に、短皿ビス２３（後述）のビス頭部２３ａを受け止めるためのテーパ孔２１が形成され、一端壁１６及び一端側補強材１９の各上端部には、これら両者１６，１９を貫通する状態の雌ねじ２２が形成されている。他端壁１７の上端部には、テーパ孔２１に対応する雌ねじ２４が形成されている。表壁１１の上端部の他端壁側には、長皿ビス２６（後述）のビス頭部２６ａを受け止めるべく他端側補強材２０に跨り形成されるテーパ孔２１が設けられている。裏壁１２の上端部の他端壁側には、補強材２０をも貫き形成されるビス通し孔２５が形成されている。
【００３４】
図５に示されるように、第１パネル部ｐ１の他端壁１７側と第２パネル部ｐ２の一端壁１６側とが９０度交差した状態で突き合わせ、それらの上端部どうしが短皿ビス２３（連結手段Ｒの一例）と長皿ビス２６（連結手段Ｒの一例）とにより連結することが可能に構成されている。短皿ビス２３は、突出壁部１１Ａのテーパ孔２１を通って他端壁１７の雌ねじ２４に螺合可能である。長皿ビス２６は、表壁１１のテーパ孔２１及び裏壁１２のビス通し孔２５を通って一端壁１６の雌ねじ２２に螺合可能である。つまり、第１及び第２パネル部ｐ１，ｐ２の上端部（上部の一例）どうしを相対連結する連結手段２３，２６が設けられている。
【００３５】
頂部カバー５は、図１，２，６に示されるように、パネル４の頂面に載せ付けられる横カバー部５Ｃと、横カバー部５Ｃに続いてパネル４の表壁１１に回り込む表カバー部５Ａと、横カバー部５Ｃに続いてパネル４の裏壁１２に回り込む裏カバー部５Ｂとを備えた板金材からなる。表カバー部５Ａの下端部には、内側に折畳まれた表折畳み部５ａが形成され、裏カバー部５Ｂの下端部には、内側に折畳まれた裏折畳み部５ｂが形成されている。横カバー部５Ｃの下面には、マグネットシート２７が貼着されている。
【００３６】
頂部カバー５は、図６に示されるように、上下方向視での形状が屈曲レール部ｒｋと同様となるコ字状のものに形成されている。つまり、第１レール部ｒ１に対応した第１カバー部ｋ１と、第２レール部ｒ２に対応した第２カバー部ｋ２と、第３レール部ｒ３に対応した第３カバー部ｋ３とで頂部カバー５が構成されている。第１〜第３カバー部ｋ１〜ｋ３それぞれの構造は、前述の通りである。
【００３７】
図６や図９に示されるように、例えば、パネル４が、計４枚の第１、第２パネル部ｐ１，ｐ２を矩形配置してなるものである場合には、それら４枚のパネル４の上に、２個の頂部カバー５，５を突き合わせ状態で被せることができる。この上下方向視で矩形を為す状態に頂部カバー５を設けることにより、長短の皿ビス２６，２３を隠す頂部カバー５として組付けることが可能である。
【００３８】
次に、現場での柱用壁パネルＡの組立て方について説明する。
まず、図７に示されるように、現場搬入された２個の屈曲レール部ｒｋ，ｒｋを、柱２を取り囲むようにフロア１ｂ上に用意し、向かい合わせ状態で互いのインナ突出部８Ａとインナ欠損端部６とを挿し込み嵌合させる。それから４個の皿ビス１０を用いて、各インナ欠損端部６，６を対応する各インナ突出部８Ａ，８Ａに螺着させ（図４を参照）、上下方向視で正方形をなすレール３が形成される。
【００３９】
レール３が組立てられたら、図８に示されるように、４枚の第１及び第２パネル部ｐ１，ｐ２を用意する。一方の屈曲レール部ｒｋの第１レール部ｒ１に２枚のうちの一方の第１パネル部ｐ１を載せ付け（図２参照）、かつ、一方の屈曲レール部ｒｋの第２レール部ｒ２及び他方の屈曲レール部ｒｋの第３レール部ｒ３に跨らせて２枚のうちの一方の第２パネル部ｐ２を載せ付ける。そして、一方の第１パネル部ｐ１の他端壁１７側の上端部と一方の第２パネル部ｐ２の一端壁１６側の上端部とを、長短の皿ビス２６，２３により連結し、上下方向視でＬ字状に組立てて自立させる。
【００４０】
次に、一方の屈曲レール部ｒｋの第３レール部ｒ３と他方の屈曲レール部ｒｋの第２レール部ｒ２とに跨って他方の第２パネル部ｐ２を載せ付け、その他方の第２パネル部ｐ２の他端壁１７側の上端部と自立している第１パネル部ｐ１の一端壁１６側の上端部とを、長短の皿ビス２６，２３により連結する。
【００４１】
それから、他方の屈曲レール部ｒｋの第１レール部ｒ１に他方の第１パネルを載せ付け、他方の第１パネルの一端壁１６側の上端部と自立している一方の第２パネル部ｐ２の他端壁１７側の上端部、及び、他方の第１パネルの他端壁１７側の上端部と自立している他方の第２パネル部ｐ２の一端壁１６側の上端部のそれぞれを、長短の皿ビス２６，２３により連結し、パネル４が組立てられる。この実施形態では、４枚のパネル部ｐ１，ｐ２はいずれも同じものであるから、組立て順序は問われない。
【００４２】
最後に、図９に示されるように、上下方向視でコ字状を呈する頂部カバー５の一対を用意し、パネル４と天井１ａとの隙間にからパネル４上に落とし込み配置する。各頂部カバー５，５は、その内面側のマグネットシート２７により、各パネル部ｐ１、ｐ２の上壁１４に磁着されてより確実に装着されている。頂部カバー５の表カバー部５Ａにより、長短の皿ビス２６，２３が（ビス頭部が）見えないようにカバーされている。
【００４３】
以上説明したとおり、柱２の周囲を囲う柱用壁パネルＡは、現場にて簡単に組立て及び分解ができて便利であるとともに、その操作（作業）も、載せ付けと皿ビス固定だけの行い易いものである。各パネル部ｐ１，ｐ２の表壁１１は金属板製であって磁着が可能であるから、マグネットフック、磁石付飾り棚などのディスプレイに適した磁力式の展示設備が使えて便利である。
【００４４】
また、各パネル部ｐ１，ｐ２の凹部である下壁１５がレール３の凸部であるアウタチャンネル材９を跨いでの凹凸嵌合で底板７に載せ付けられるから、屈曲レール部ｒｋどうしの連結手段である皿ビス１０が外から見えず、外観がよろしい。加えて、頂部カバー５の装着により、各パネル部ｐ１，ｐ２の上端部どうしの連結手段である長短の皿ビス２６，２３も外から見えないように工夫されている点も好ましい。
【００４５】
〔パネル４の別実施形態〕
第１及び第２パネル部ｐ１，ｐ２は、図１０に示されるように、一端壁１６及び他端壁１７がいずれも４５度傾いた傾斜壁に形成された構造のものでも良い。
即ち、一端壁１６は、表壁１１の突出壁部１１Ａの先端から裏側に４５度で折畳まれた傾斜壁よりなり、その上端部には長皿ビス２６を通すための避け孔２８が形成されている。一端壁１６の先端は、折曲げ部１２ａの根元部分に溶接などの手段により一体化されていれば好都合である。
【００４６】
他端壁１７は、表壁１１の延長壁部１１Ｂの先端から裏側に４５度で折畳まれた傾斜壁よりなり、その上端部には長皿ビス２６（連結手段Ｒ）を通すための避け孔２９が形成されている。他端側補強部材２０は、裏壁１２の他端側を９０度折り曲げてなる仕切り側壁１２ｂと表裏の各壁１１，１２の内面側との３壁に接する状態で設けられている。なお、図１０においては、図５などに示される実施形態１によるパネル４（ｐ１，ｐ２）と同じ機能を持つ箇所には同じ符号を付し、それらの説明は割愛する。
【００４７】
そして、延長壁部１１Ｂの裏面側と仕切り側壁１２ｂの表面側とに跨る断面Ｌ字状で厚肉の内補強材３０が設けられ、上下に並ぶ複数の皿ビス３１により、仕切り側壁１２ｂ及び他端側補強部材２０に螺着固定されている。内補強材３０の表壁側辺３０ａと延長壁部１１Ｂには、長皿ビス２６のビス頭部を通して受けるテーパ孔３２が形成されるとともに、裏壁１２の他端壁側に、断面Ｌ字状で厚肉鋼板製のセット材３３が皿ビス３４により取り付けられている。
【００４８】
図１０に示される第１パネル部ｐ１は、図１０に示す構造の他端壁１７が左右両端に形成され、かつ、第２パネル部ｐ２は、図１０に示す構造の一端壁１６が左右両端に形成されていて、第１パネル部ｐ１と第２パネル部ｐ２とは異なった部品に構成されている。しかしながら、図１０に示される一端壁１６と他端壁１７とを左右それぞれに有して、実施形態１と同様に、４つのパネル部ｐ１，ｐ２が互いに同じ部品として構成させることは可能である。
【００４９】
〔連結手段Ｒの別実施形態〕
図１１（ａ）、（ｂ）に示されるように、連結手段Ｒは、上下方向視でＬ字形状をなす連結プレート３５と、複数本のボルト３７とにより、第１及び第２パネル部ｐ１，ｐ２の上壁（上部の一例）１４，１４どうしを相対連結するように構成されたものでもよい。連結プレート３５は、第１パネル部ｐ１の上壁１４と第２パネル部ｐ２の上壁１４とに跨るように載置され、例えば、第１パネル部ｐ１の上壁１４の２箇所と第２パネル部ｐ２の上壁１４の１箇所に螺着される３個のボルト３７で取り付けられている。なお、ボルト３７の数は任意に設定が可能である。
【００５０】
この場合、連結プレート３５の厚みと、ボルト３７のボルト頭３７ａの厚みとの和より少し厚い板材などによるスペーサ３６を各上壁１４，１４に載置すれば、図１１（ｂ）に示されるように、ボルト３７に干渉することなく安定的に頂部カバー５を装着できて好都合である。図示は省略するが、スペーサ３６の厚みから連結プレート３５の厚みを減じた厚みの部分スペーサを連結プレート３５上に配置してもよい。スペーサ３６を、磁気を帯びた材料（マグネットシートなど）から形成してもよい。
【００５１】
〔別実施例〕
隅角部用組立式壁パネルＡは、次の（１）〜（６）の構成によるものでも良い。
（１）第１，第２レール部ｒ１，ｒ２及び第１，第２パネル部ｐ１，ｐ２を有して、上下方向視でＬ字形状をなし、部屋（室）の角部用又は隅部用のもの。
（２）実施形態１による柱用壁パネルＡにおいて、第１レール部ｒ１の長さが、第２レール部ｒ２と第３レール部ｒ３との長さの和と異なるもの。即ち、上下方向視で長方形を呈するもの。実施形態１のものは、上下方向視で正方形を呈する。
【００５２】
（３）上下方向視の形状が５角形以上の多角形（円柱形の柱を囲む隅角部用組立式壁パネルとして好適）や三角形を呈するもの。或いは、第１パネル部ｐ１などが上下方向視で円弧状をなし、組立て状態では上下方向視で円形を呈するもの。
（４）レール３は、第１レール部ｒ１と第２レール部ｒ２とを、上下方向視でＬ字形となるように一体化してなる屈曲レール部ｒｋにより構成されるものでもよい。
【００５３】
（５）パネル４は、第１パネル部ｐ１と第２パネル部ｐ２とを、上下方向視でＬ字形となるように一体化してなるものでもよい。
（６）各パネル部ｐ１，ｐ２の上部どうしを連結する連結手段Ｒは、皿ビスやボルト・ナットのほか、これら両者の上面に跨って嵌まる下向き開放コ字形状の断面を持って上下方向視でＬ字形をなし、かつ、各パネル部ｐ１，ｐ２の上壁１４，１４の孔に嵌入可能なピンを備えた連結部材でなる構成も可能である。
【符号の説明】
【００５４】
３          レール
４          パネル
５          頂部カバー
５Ａ        表カバー部
５Ｂ        裏カバー部
５Ｃ        横カバー部
６          第３連結部
８Ａ        第２連結部
９          凸部
１１        表壁
１２        裏壁
１５        凹部
Ｒ          連結手段
ｐ１        第１パネル部
ｐ２        第２パネル部
ｒ１        第１レール部
ｒ２        第２レール部
ｒ３        第３レール部
ｒｋ        屈曲レール部
【図１】
2019049162.tif 000003
【図２】
2019049162.tif 000004
【図３】
2019049162.tif 000005
【図４】
2019049162.tif 000006
【図５】
2019049162.tif 000007
【図６】
2019049162.tif 000008
【図７】
2019049162.tif 000009
【図８】
2019049162.tif 000010
【図９】
2019049162.tif 000011
【図１０】
2019049162.tif 000012
【図１１】
2019049162.tif 000013